(57)【要約】      （修正有）【課題】簡単にかき取り部の掃除を行うことができ、清潔さを保つことができる耳かきを提供する。【解決手段】耳かき１００において、中心軸線方向でかき取り部１２が筒状部材２０から離れる方向に、筒状部材２０及び棒状部材１０を付勢する弾性部材を有し、筒状部材２０と棒状部材１０とが弾性部材の付勢力に抗して中心軸線方向に相対移動したとき、拡径端部２３がかき取り部１２の少なくとも一部を受け入れ、拡径端部２３の径方向内側に、かき取り部１２に付着した異物を除去する掃除部が設けられているものとする。【選択図】図１
2020032103.tif 000002
【特許請求の範囲】
【請求項１】
一方の端部に拡径端部が形成された筒状部材と、
前記筒状部材よりも長く、前記筒状部材の内側を貫通して、中心軸線方向において前記拡径端部側の端部にかき取り部を備え、前記筒状部材と中心軸線方向に相対移動可能で、中心軸線を中心として前記筒状部材と相対回転可能に配置された棒状部材と、
中心軸線方向において、前記かき取り部が前記筒状部材から離れる方向に前記筒状部材及び前記棒状部材を付勢する弾性部材と、を有し、
前記筒状部材と前記棒状部材とが前記弾性部材の付勢力に抗して中心軸線方向に相対移動したとき、前記拡径端部は前記かき取り部の少なくとも一部を受け入れ、
前記拡径端部の径方向内側に、前記かき取り部に付着した耳垢を除去する掃除部が設けられている耳かき。
【請求項２】
前記かき取り部は、概略卵型をして、外周面に溝が形成されている請求項１に記載の耳かき。
【請求項３】
前記かき取り部とは反対側の前記棒状部材の端部に、中心軸線方向に対して略垂直な端面を形成する指あてが設けられている請求項１又は２に記載の耳かき。
【請求項４】
前記筒状部材の外側面には複数の突部からなる滑り止めが形成されている請求項１から３のいずれか一項に記載の耳かき。
【請求項５】
前記弾性部材が、前記筒状部材の内側で、中心軸線方向で前記拡径端部寄りに配置されている請求項１から４のいずれか一項に記載の耳かき。
【請求項６】
前記弾性部材はつるまきバネであり、引張力により前記付勢を行う請求項１から５のいずれか一項に記載の耳かき。
【発明の詳細な説明】
【技術分野】
【０００１】
本発明は、外耳道内の耳垢を取り除く際に用いられる耳かきに関するものである。
【背景技術】
【０００２】
従来、耳掃除の後、かき取り部に付着した耳垢を取り除くためのブラシが取り付けられた耳かきが提案されている（例えば、下記特許文献）。
【先行技術文献】
【特許文献】
【０００３】
【特許文献１】特開２０００−２３７０８６号公報
【特許文献２】実用新案登録第３１１４０２０号公報
【発明の概要】
【発明が解決しようとする課題】
【０００４】
上記特許文献に記載の耳かきにおいては、外耳道内の耳垢をかき取るかき取り部を掃除するため、かき取り部とは反対側の端部に取り付けられたブラシを軸部から取り外さなければならず、面倒な作業となる。
【０００５】
そこで、本願は、簡単にかき取り部の掃除を行うことができ、清潔さを保つことができる耳かきを提供することを目的とする。
【課題を解決するための手段】
【０００６】
耳かきにおいて、
一方の端部に拡径端部が形成された筒状部材と、
前記筒状部材よりも長く、前記筒状部材の内側を貫通して、中心軸線方向において前記拡径端部側の端部にかき取り部を備え、前記筒状部材と中心軸線方向に相対移動可能で、中心軸線を中心として前記筒状部材と相対回転可能に配置された棒状部材と、
中心軸線方向において、前記かき取り部が前記筒状部材から離れる方向に前記筒状部材及び前記棒状部材を付勢する弾性部材と、を有し、
前記筒状部材と前記棒状部材とが前記弾性部材の付勢力に抗して中心軸線方向に相対移動したとき、前記拡径端部は前記かき取り部の少なくとも一部を受け入れ、
前記拡径端部の径方向内側に、前記かき取り部に付着した耳垢を除去する掃除部が設けられているものとする。
【発明の効果】
【０００７】
本発明によれば、簡単にかき取り部の掃除を行うことができ、清潔さを保つことができる耳かきを提供することができる。
【図面の簡単な説明】
【０００８】
【図１】図１は本願の実施形態に係る耳かきの全体図である。
【図２】図２は本願の実施形態に係る耳かきのかき取り部の拡大図である。
【図３】図３は本願の実施形態に係る耳かきの内部構造を示す断面図である。
【図４】図４は本願の実施形態に係る耳かきのかき取り部を掃除する状態の内部構造を示す断面図である。
【図５】図５は本願の実施形態に係る耳かきのかき取り部を掃除する状態の外観を示す全体図である。
【発明を実施するための形態】
【０００９】
図１から図５を参照して本願の実施形態に係る耳かきについて説明する。図１は本願の実施形態に係る耳かき１００の全体図である。
【００１０】
耳かき１００は、棒状部材１０と筒状部材２０とを有している。棒状部材１０は、筒状部材２０よりも長く、筒状部材の内側を貫通している。棒状部材１０と筒状部材２０は、中心軸線方向に相対移動可能で、かつ、中心軸線を中心として相対回転可能に組み合わされている。棒状部材１０と筒状部材２０は、金属、カーボン、プラスチック、木材などから形成することができる。
【００１１】
棒状部材１０は、細長い円柱状の本体１１と、本体１１の一方の端部に設けられたかき取り部１２と、かき取り部１２とは反対側の本体１１の端部に設けられた指あて１３と、本体１１の中間部に形成された係止部１４とを有している。
【００１２】
図２はかき取り部１２の拡大図である。かき取り部１２は、概略卵型をして、外周面に溝１２ａが形成されている。溝１２ａは、耳かき１００の中心軸線を中心とする円に対して傾斜して形成されている。かき取り部１２によれば、外耳道を傷つけることなく、気持ちよく耳掃除を行うことができる。
【００１３】
指あて１３は、中心軸線方向に対して略垂直な端面を形成する円板状に形成されている。指あて１３は、耳掃除の際、精密ドライバーのように、人差し指を当てることができ、使用者は耳かき１００を安定して保持することができる。
【００１４】
筒状部材２０は、円筒部２１と、円筒部２１の外周面に形成された滑り止め２２と、中心軸線方向のかき取り部１２側の端部で、内径及び外径が拡径した拡径端部２３を有している。拡径端部２３は、耳かき１００を筆のように保持して耳掃除を行う際、中指と薬指の間で挟むことで、耳かき１００を容易に回転させることができる。中心軸線方向で拡径端部２３とは反対側の筒状部材２０の端部は、通常使用時において棒状部材１０に形成された係止部１４に当接している。
【００１５】
滑り止め２２は、半球状の複数の突部からなる。滑り止め２２は、円筒部２１の材質や表面仕上げによっては設けなくても良いし、半球状以外の形状、例えば、ピラミッド状、格子状などとしても良い。
【００１６】
図３は本願の実施形態に係る耳かき１００の内部構造を示す断面図である。拡径端部２３側の円筒部２１の内側には、中心軸線方向に貫通した環状の第１のバネ受け２４が形成されている。第１のバネ受け２４に対して、中心軸線方向で指あて１３側の棒状部材１０の本体１１の部分には、第２のバネ受け１５が形成されている。
【００１７】
第１のバネ受け２４と第２のバネ受け１５の間には、弾性部材３０が設けられている。本実施形態において、弾性部材３０は、つるまきバネとしているが、その他の弾性部材を用いても良い。弾性部材３０は、中心軸線方向の両端部がそれぞれ第１のバネ受け２４と第２のバネ受け１５に固定されている。弾性部材３０は、引張り力により、中心軸線方向において、第１のバネ受け２４と第２のバネ受け１５が近付く方向に、換言すれば、かき取り部１２が筒状部材２０から離れる方向に、筒状部材２０及び棒状部材１０を付勢する。
【００１８】
弾性部材３０は、中心軸線方向において、かき取り部１２が筒状部材２０から離れる方向に筒状部材２０及び棒状部材１０を付勢する配置であれば、どのような配置としてもよいが、筒状部材２０の内側で、かつ、中心軸線方向において拡径端部２３寄りに配置されていることが好ましい。これにより、弾性部材３０の重さにより、耳かき１００の重心が中心軸線方向でかき取り部１２側に近付き、耳かき１００が使用しやすくなる。
【００１９】
拡径端部２３の径方向内側には、かき取り部１２に付着した耳垢を除去する掃除部２５が設けられている。本実施形態において、掃除部２５は、拡径端部２３から径方向内側に延びるブラシからなるが、耳垢を除去できるものであれば、ブラシに限られない。
【００２０】
図４はかき取り部１２を掃除する状態の内部構造を示す断面図である。図５はかき取り部１２を掃除する状態の外観を示す全体図である。
【００２１】
使用者は、かき取り部１２を掃除する際、弾性部材３０の付勢力に抗して、筒状部材２０をかき取り部１２側にずらし、棒状部材１０と筒状部材２０を、中心軸線を中心として相対回転させる。拡径端部２３は、かき取り部１２の少なくとも一部を受け入れ、掃除部２５がかき取り部１２に付着した耳垢などの異物を除去する。なお、 耳垢の付着が分かり易くなる ため、耳かき１００を黒色とするとよい。特に、かき取り部１２は黒色とすることが好ましい。
【００２２】
以上に説明した本願の耳かき１００によれば、簡単にかき取り部１２の掃除を行うことができ、清潔さを保つことができる。
【符号の説明】
【００２３】
１００  耳かき
１０  棒状部材
１１  本体
１２  かき取り部
１２ａ  溝
１３  指あて
１４  係止部
１５  第２のバネ受け
２０  筒状部材
２１  円筒部
２２  滑り止め
２３  拡径端部
２４  第１のバネ受け
２５  掃除部
３０  弾性部材
【図１】
2020032103.tif 000003
【図２】
2020032103.tif 000004
【図３】
2020032103.tif 000005
【図４】
2020032103.tif 000006
【図５】
2020032103.tif 000007